(57)【特許請求の範囲】
【請求項１】
コンテナの隅柱に突き当たる両底梁の端部に下方に拡がる２つの傾斜ガイド面を形成し、隅柱の下端面を両底梁の下面より上に位置させた隅部構造を有するコンテナを積載するキャリアパレットであって、荷台上面のコンテナ隅柱の下端面が位置する複数部位に、上端面の位置がコンテナの隅柱下端面より僅かに低い位置にあり前記２つの傾斜ガイド面間に係合可能な大きさの保定材を固着したことを特徴とするコンテナの位置ずれ防止構造を有するキャリアパレット。
【請求項２】
コンテナが、隅柱の上部に長孔を有する隅金具を有し下端面に固定ピンを突設した重ね積み可能な構造を有するものであり、保定材の中央部に固定ピンの挿入空間が形成されたものであることを特徴とする請求項１に記載のコンテナの位置ずれ防止構造を有するキャリアパレット。
【請求項３】
保定材がコンテナの隅柱の下端部で底梁端に形成された２つの傾斜ガイド面と平行な上縁部を有する角材または角枠材で形成されていることを特徴とする請求項１または請求項２に記載のコンテナの位置ずれ防止構造を有するキャリアパレット。
【発明の詳細な説明】
【０００１】
【発明が属する技術分野】
本発明は、主として金属コイル、金属線材コイル、金属切板等の金属材を搬送する場合に、これらの金属材を収容するコンテナを積載するキャリアパレットに関するものである。
【０００２】
【従来の技術】
従来、例えばコイルを船積みで出荷する場合には、図７（ａ）に示すように、コイル１を梱包（ここでは木台付き梱包）後、例えば、クレーンでキャリアパレット２に一段積で積載し、図７（ｂ）に示すように、パレット台車３がキャリアパレット２の下部に進入し、パレット台車本体のリフトアップ機能によりキャリアパレットを持ち上げ搬送可能状態となる。船積出荷の場合には、岸壁まで搬送してキャリアパレット２上のコイル１をクレーンで１個ずつ船内に積み重ね、船内からコイルを荷揚げする場合も、クレーンで１個ずつ台車やトラックに積み込むことが行われていた。
【０００３】
このように、コイル１を１個ずつ積み込み、１個ずつ荷揚げする方法を採用する場合には、陸上および船内作業に数名の要員を配置する必要があり、労力負担も大きく、安全上の問題もあった。また、作業効率が悪く、コイルの積み込みと荷揚げに長時間を要し、滞船料負担が大きくなるという問題もあった。
【０００４】
このような問題を解決するために、例えば特開昭５３−５３４８７号公報には、コイル状物体を複数収容でき、多段積みを可能とするトラック輸送するコンテナ装置が提案されている。このコンテナ装置は、複数のコイル状物体を横にして収容したコンテナをトラックに多段積みできるものであり、コンテナ内のコイル状物体の荷崩れを防止でき、またコイル状物体を多段積みした場合に、上下のコンテナ間での荷崩れを防止することができる。
【０００５】
しかし、このコンテナ装置は、コンテナを多段積みする構造を備えているが、トラック輸送の場合では積載量に限界があり、多積載の要請に応えることができないという問題がある。また、コンテナを多段積みする場合には、上下のコンテナの位置合わせ・係合作業負担が大きく、作業能率および安全確保の面でも問題がある。
【０００６】
【発明が解決しようとする課題】
本発明は、複数の金属材を収容した複数のコンテナを、キャリアパレットを介してパレット台車に積載して多積載輸送を図る場合において、キャリアパレット上でのコンテナの位置ずれを容易に防止できる構造を有するキャリアパレットを提供するものである。
【０００７】
【課題を解決するための手段】
本発明の（１）の発明は、コンテナの隅柱に突き当たる両底梁の端部に下方に拡がる２つの傾斜ガイド面を形成し、隅柱の下端面を両底梁の下面より上に位置させた隅部構造を有するコンテナを積載するキャリアパレットであって、荷台上面のコンテナ隅柱の下端面が位置する複数部位に、上端面の位置がコンテナの隅柱下端面より僅かに低い位置にあり前記２つの傾斜ガイド面間に係合可能な大きさの角形保定材を固着したことを特徴とするコンテナの位置ずれ防止構造を有するキャリアパレットである。
【０００８】
また、（２）の発明は、（１）の発明において、コンテナが、隅柱の上部に長孔を有する隅金具を有し下端面に固定ピンを突設した重ね積み可能な構造を有するものであり、角形保定材の中央部に固定ピンの挿入空間が形成されたものであることを特徴とするコンテナの位置ずれ防止構造を有するキャリアパレットである。
【０００９】
また、（３）の発明は、（１）または（２）の発明において、保定材がコンテナの隅柱の下端部で底梁端に形成された２つの傾斜ガイド面と平行な上縁部を有する角材または角枠材で形成されていることを特徴とするコンテナの位置ずれ防止構造を有するキャリアパレットである。
【００１０】
【発明の実施の形態】
本発明は、主として金属コイル、金属線材コイル、金属切板等の金属材を複数収容のコンテナを、キャリアパレットに積載してこのキャリアパレットをパレット台車に載置して運搬する場合に適用されるものであり、特にキャリアパレット上に積載した複数のコンテナが位置ずれを起こさないように、キャリアパレット上にコンテナの保定構造を設けることを主要な特徴とするものである。
【００１１】
本発明で、パレット台車を選択するのは、トラックの場合より多積載が可能で揺れも少なく積み重ねた場合にも十分な安全性が確保できるからである。
また、金属材を収容するコンテナをキャリアパレットを介して、パレット台車に積み込むのは、クレーンやリフターによるコイルおよびコンテナのトータルの運搬ストロークを短縮して積み込み時間の短縮を図るためである。
【００１２】
本発明で対象とするコンテナは、基本的には、隅柱に突き当たる両底梁の端部に下方に拡がる２つの傾斜ガイド面を形成し、隅柱の下端面を両底梁の下面より上に位置させた隅部構造を有するコンテナであるが、積み重ねる場合には、隅柱の上部に長孔を有する隅金具を有し下端面に固定ピンを突設した重ね積み可能な構造を有するものを対象とすることもできる。
また、構造を簡易にしてコンテナへの金属材の搬入・搬出を容易とするためには、側部と上部で収容する金属材の移動が可能な空間を形成した簡易な枠組構造を有するコンテナとすることが有効である。
【００１３】
コンテナを重ねた状態にして、クレーンで運搬する場合などには、隅柱上部の隅金具として長孔を有する公知のコーナーフッティングを用い、固定ピンとして公知のツイストロックを用いることもできる。ツイストロックは自動ロック、解除が可能なもの、あるいはレバー操作式の公知のツイストロックのいずれでもよい。
コーナーフッティング（隅金具）は、コンテナをツイストロック付きの自動吊具を有するクレーンで運搬する場合に、このツイストロックを係止するコーナーフッティングとしても兼用することができる。
【００１４】
本発明のキャリアパレットは、パレット台車に載置したとき、位置ずれを起こさない構造になっているので、キャリアパレットとコンテナ間の位置ずれを防止するものである。具体的には、キャリアパレットの荷台上面に、積載対象のコンテナに応じて、このコンテナを複数並べた時に、コンテナの隅柱の下端が位置する部位に、保定材を固定する。この保定材は、コンテナの隅柱の下端面から直接荷重を受けないように、その上面位置は、コンテナの隅柱の下端面より下に位置させることにより簡易構造にすることができる。
【００１５】
この保定材は、コンテナの隅柱に突き当たる２つ底梁の端部に形成された２つの傾斜ガイド面にあって、上縁部が傾斜ガイド面に接触することで、コンテナの位置ずれを防止することができ、１個のコンテナ単位で考えれば、相対する側から保定できるように配置することにより、水平方向のいずれの方向の位置ずれを防止することができる。
相対する側に、それぞれの側に１個ずつ配置しても十分な保定効果があり、すべての隅柱の下端面の位置に配置する必要はない。例えば、パレットの長さ方向に３個以上のコンテナを載置する場合には、真ん中のコンテナに対する保定材を省略することも考慮する。
この保定材は、コンテナのサイズ、積載数、配置等に応じて効率的な配置を選択することができる。
【００１６】
この保定材としては、コンテナを保定したときに容易に変形しない程度の厚みで高さが９〜１０ｍｍ程度のもので、形状としては、コンテナの隅部の２つの傾斜ガイド面のガイド性を考慮すると、この傾斜ガイド面に平行な２つの上縁部を有し、この傾斜ガイド面を円滑に摺動してガイドでき、コンテナの位置合わせを容易にする上縁部を有する角材または角枠材などが簡易でより好ましいものとして挙げられる。
【００１７】
コンテナを積み重ねる場合には、隅柱の下端に固定ピンなどが突設することが多いので、角材を用いる場合、中央部に固定ピンの挿入空間を形成する必要がある。コンテナを重ねた状態にして、クレーンで運搬する場合などには、隅金具として公知のコーナーフッティングを用い、固定ピンとして公知のツイストロックを用いることもできる。ツイストロックは自動ロック、解除が可能なもの、あるいはレバー操作式の公知のツイストロックのいずれでもよい。
ツイストロックを用いる場合には、コーナーフッティング（隅金具）の係合孔は長孔にすることによって、コンテナをクレーンのツイストロック付きの自動吊具に係合させることができる。
【００１８】
なお、コンテナへの金属材の搬入は、コンテナを載置したキャリアパレットをパレット台車に積載する前に行うのがよい。
【００１９】
【実施例】
本発明のキャリアパレットの実施例について、図１〜図５に基づいて説明する。
図１〜図３において、２はキャリアパレットで、荷台２ａ上面に、３個のコンテナ１を長さ方向に並べて載置するようにしたものである。このコンテナ１は、底枠４と４本の隅柱５と底枠４上に配設した鋼板からなる底板６からなるものであり、隅柱５の下端面は、底枠４の下面より上に位置しており、隅部において隅柱５に突き当っている底枠４の２本の底梁４ａ、４ｂ端面の下部側（隅柱５の下端面より下部領域）には、それぞれ、垂直線に対して傾斜角度αが約３０度のガイド傾斜面４ｔが形成されたものである。
【００２０】
キャリアパレット２の荷台２ａには、コンテナ１を長さ方向に３個並べて載置し、これらのコンテナ１の位置ずれを防止する複数の保定材７が配置され、溶接ｗで固着されている。
この保定材７は、図４に示すように角枠材であり空間７ｏを有するものであり、コンテナ１の隅柱５の下端部との位置関係は、より具体的には、図５に示すように、キャリアパレット２の荷台２ａに載置されたコンテナ１の隅柱５の下部に突き当たる両底梁４ａ、４ｂ端面に形成された下方に拡がる２つの傾斜ガイド面４ｔ間において、隅柱５の下端面が位置する部位の下方に、上端面の位置がコンテナ１の隅柱５の下端面より距離ａ低い位置になるように位置させ、保定材７の上面と隅柱５の下端面とが接触しないように配置しており、コンテナ１をクレーンなどで吊り上げる場合には、全く支障にならない。
【００２１】
この保定材７は、コンテナ１のサイズと配置数に応じて、荷台２ａに載置されるコンテナ１の隅柱５の位置の下方に位置するように固着するものであり、コンテナ１をキャリアパレット２の荷台２ａに載置する場合には、隅柱５の下端部の底梁４ａ、４ｂ端面に形成された２つの傾斜ガイド面４ｔを、保定材７の上縁部でガイドさせて、２つの傾斜ガイド面４ｔ間に保定材７を位置させ、この２つの傾斜ガイド面４ｔが保定材４ｔの２つの上縁部に係止されることによって、コンテナを保定して、コンテナ１の水平方向の位置ずれを防止することができる。
【００２２】
この実施例では、３個のコンテナ１の相対する側に保定材７を配置しており、水平方向ではいずれの方向に対しても、コンテナ１の位置ずれを防止することができる。
【００２３】
なお、この実施例のコンテナ１は、上下に積み重ね可能とするもので、図６に示すように、コンテナ１の隅柱５の下端面に、固定ピン８を突設し上部には係合孔９を有する隅金具１０を取り付けており、コンテナ１を積み重ねる場合には、ガイド傾斜面４ｔを、下部コンテナの柱３ａ上部の隅金具１０の内側縁部でガイドさせることにより、上部のコンテナの隅柱５下端の固定ピン９と下部コンテナの隅柱５上部の隅金具１０の長孔９の位置合わせ・係合を容易にすることができ、上下コンテナ間での荷崩れを防止することができる。
【００２４】
なお、隅金具１０は、自動ロック・自動解除ができるツイストロックを装着したクレーンで運搬する場合には、ツイストロックを係止するコーナーフッティングとしても機能させることができ、この場合、係合孔は長孔であればよい。
また、コンテナ１を上下に積み重ねた状態でクレーンなどで運搬する場合には、上下のコンテナを連結する必要があるが、連結する場合には、固定ピン９をツイストロックにして隅金具１０の係合孔（長孔）９に係止できるようにすればよい。
【００２５】
なお、本発明で適用のコンテナは、上記の実施例に限定されるものではない。例えば、コイルを収容するものに限定されるものではなく、梱包切板などを収容するものであっても適用が可能なものである。また、例えば、コンテナを構成する枠組構造（底枠、柱）、荷台構造、キャリアパレットの構造、クレーン（吊具を含む）構造、パレット台車の構造等については、コンテナの配置数、積み方、収容する金属材条件（材料、サイズ）、梱包条件、収容数等に応じて選択されるものであり、上記本発明の請求項の範囲内で変更があるものである。
【００２６】
【発明の効果】
本発明は、複数の金属材を収容した複数のコンテナを、キャリアパレットを介してパレット台車に積載して多積載輸送を図る場合において、キャリアパレット上でのコンテナの位置ずれを容易に防止できる構造を有するものであり、キャリアパレットの荷台に、コンテナの隅柱の下部に形成した２つの傾斜ガイド面に位置させる保定材を固着し、２つの傾斜ガイド面を保定させることによって、コンテナの水平方向での位置ずれを容易に防でき、安全上の問題もなく、安定したコンテナ輸送が可能である。
【図面の簡単な説明】
【図１】本発明のキャリアパレットの実施例を示す正面説明図。
【図２】図１の側面説明図。
【図３】図１の平面説明図。
【図４】本発明で用いる保定材の形状例を示す立体説明図。
【図５】図２のＡ部でのコンテナ隅柱下部と保定材との位置関係を示す立体拡大説明図。
【図６】コンテナの隅柱における積み重ね構造例を示す側面部分説明図。
【図７】従来のキャリアパレットとパレット台車を用いたコイル輸送方法例を示す説明図で、（ａ）図は、コイルを積載したキャリアパレットを示す側面説明図、（ｂ）図は、コイルを積載したキャリアパレットを載置したパレット台  車を示す側面説明図。
【符号の説明】
１    コイル                    ２    キャリアパレット
２ａ    荷台                    ３    パレット台車
４    コンテナ底枠              ４ａ、４ｂ    底梁
４ｔ  傾斜ガイド面              ５    隅柱
６    底板                      ７    保定材
８    固定ピン                  ９    長孔
１０    隅金具
【図１】
0004142843.tif 000002
【図２】
0004142843.tif 000003
【図３】
0004142843.tif 000004
【図４】
0004142843.tif 000005
【図５】
0004142843.tif 000006
【図６】
0004142843.tif 000007
【図７】
0004142843.tif 000008